(57)【特許請求の範囲】
【請求項１】
炉壇を左右移動可能及び装着・取り外し自在に設けた炉基台と、茶道具を載置する第１道具基台と、この第１道具基台又は前記炉基台と連結可能で茶道具を載置する第２道具基台と、前記炉基台及び前記第２道具基台に挿着可能な点前台とを含み、これ等の配置を取り替えることにより本勝手４点前・逆勝手４点前の所作ができることを特徴とする組み合わせ座卓。
【請求項２】
前記炉基台は箱形であり、前記第１道具基台は天板に前面を開放した３側板を設け、前記第２道具基台は天板に左右２側板を設け、前記第１道具基台及び前記第２道具基台のそれぞれの側板を折り畳み可能となした請求項１に記載の組み合わせ座卓。
【請求項３】
前記第２道具基台には建水台を左右移動及び収納・突出可能に付設したものである請求項２に記載の組み合わせ座卓。
【請求項４】
前記炉基台の炉壇・炉縁を取り外し天板を置くか又は炉縁を取り外して天板を置くことにより風炉基台となる請求項１乃至３のいずれか１項に記載の組み合わせ座卓。
【請求項５】
前記炉基台、前記第１道具基台、前記第２道具基台のそれぞれに脚を装着することにより立礼卓となる請求項１乃至４のいずれか１項に記載の組み合わせ座卓。
【発明の詳細な説明】
【技術分野】
【０００１】
本発明は、いろいろの点前形式の稽古場を準備しておくことなく各種点前の稽古のできる座卓に関する。更に詳しくは炉・風炉の点前において、本勝手、逆勝手の各種点前に適合すべく基台の配置を変えることができ、また必要により立礼卓にできる組み合わせ座卓に係る。
【背景技術】
【０００２】
戦後、衣食住が豊かになり、心の安定を求めて茶道の稽古をする人が多くなった。これらの人は次第に年齢を重ねて正座することが苦になるようになり、この年代の人の稽古離れが起きている。また、正座生活に不慣れな人はお茶を敬遠する傾向にある。
【０００３】
このことに注目して、お茶会の稽古がし易いよう工夫されたもとして文献１が知られている。このものは椅子に腰掛けて点前者が点前をし、客が点前者と向かい合って椅子に腰掛けてお茶をいただくよう考えられたものである。すなわち、畳半畳分の１個の炉壇付基台と、畳半畳分の２個の小基台と１個の点前の補助基台とで構成されている。
【０００４】
そして炉壇付基台の炉が中心となるように接近して小基台２個をＬ字形に配し、炉壇付基台の手前に補助基台を配して、空間部に椅子を置き点前者が腰掛けてお茶を点てる。客は基台の外側に椅子を置いて腰掛け対座してお茶をいただくような配置となっている。
【０００５】
この配置は四畳半本勝手である。そして基台それぞれには脚が取り付けられており立礼卓として使用する形態であり、洋間において和室の正式な所作並びに雰囲気を味わえるように考えられたものである。
【特許文献１】特開平８−１８７１７７号公報
【発明の開示】
【発明が解決しようとする課題】
【０００６】
立礼卓は一般に外人も参加できる茶会用に考案されたもので、洋間の広間で使用される。このため炉・道具の位置、風炉・道具の位置は卓上一定位置であって、馴染まれているほぼ本勝手の配置にされている。従って大寄せの外人・素人の参加をも考慮した茶会においては、時代にあったものとして好評である。
【０００７】
また、文献１のものは、正座の苦手な人への問題は解決され、畳敷茶室における正座時と同様な点前及び所作により、稽古並びに茶会を行うことができる。
しかしながら稽古を主体に考えた場合、文献１は四畳半本勝手点前一種類に限定され、それ以外の向切り点前、隅炉点前、並びに逆勝手点前のことに対してはなんらの考えもなされていない。
【０００８】
町の一般のお茶の先生宅では四畳半本勝手の点前の稽古が殆どであり、向切り、逆勝手の点前ができる所はまれである。
このため稽古人としていろいろの点前を習う機会が殆どないので、稽古人の習う意欲を充分に満たすことはできない。また、有名茶室へ見学に行っても、この場合どのように点前するか分からず、貴重な機会にも納得のいく勉強ができないという種々の問題がある。
【０００９】
本発明は、従来技術の有するこのような問題に鑑みなされたものであり、その目的とするところは、茶会・稽古にいろいろの点前即ち四畳半本勝手・台目切点前・向切点前・隅炉点前の四点前、逆勝手の同様四点前、更に風炉本勝手、逆勝手点前さらにまた洋間の立礼卓とできる各種点前に対応できる組み合わせ座卓を提供しようとするものである。
【課題を解決するための手段】
【００１０】
上記目的を達成するために、本発明の組み合わせ座卓は、請求項１の発明の組み合わせた座卓は、炉基台・第１道具基台・第２道具基台及び点前台の四点セットによって各種配置を変更することにより本勝手、逆勝手の点前できるものである。
【００１１】
請求項１の座卓を用いることにより、町の先生宅で各種点前の稽古が容易にできるので、一層お茶の稽古の楽しみが増大する。
【００１２】
請求項２の発明の組み合わせ座卓は、炉基台は箱形で、第１道具基台、第２道具基台は折り畳み可能で、平らに折り重ねられる。
【００１３】
請求項２の組み合わせ座卓を用いるとき、不使用時の収納に場所をとらず、また、移動運搬が容易であり、使用場所を変更でき利用範囲を広められる。また、各種基台は約３０センチの高さに形成されているので、正座椅子に座った状態で稽古ができ、足の痛い人、正座の苦手な人の稽古が楽になり、永くお茶を楽しむことができる。
【００１４】
請求項３の発明の組み合わせ座卓は、第２道具基台に建水台を移動及び収納・突出可能に付設したものである。
請求項３の組み合わせ座卓によれば、建水台を設けたので、正座椅子に正座した場合に建水の高さが畳上で点前したときと同じ高さ関係に保て、建水迄の距離は近くなるので、建水から水を空けるとき、身体を曲げなくて普通の姿勢で行うことができる。また、建水台は左右移動可能であるので、本勝手、逆勝手のときにも容易に対応できる。
【００１５】
請求項４の発明の組み合わせ座卓は、炉縁に替えて天板を載せ、上面を平らにできるものである。
請求項４の組み合わせ座卓によれば、炉基台が炉壇の上に天板を載せることにより平面となるので、風炉を本勝手位置・逆勝手位置と配置替えでき、風炉の各種点前の稽古ができる。
【００１６】
請求項５の発明の組み合わせ座卓は、炉基台・第１道具基台・第２道具基台に脚がとりつけられる。
請求項５の組み合わせ座卓によれば、洋間における立礼卓として使用でき、しかも各種点前において茶会を催すことができ、バラエティに富んだ茶会を楽しむことができる。
【発明の効果】
【００１７】
上述のように構成したので本願請求項の発明は以下の効果を奏する。
【００１８】
請求項１の発明は、炉を四畳半本勝手切りしか作られない稽古場において、各種の特殊な点前の稽古ができ、稽古の楽しみが増す。他所の茶室を見学した場合でも、点前を想像しながら楽しく勉強することができる。
【００１９】
請求項２の発明は、基台を箱形にし一定の高さに構成したので、正座椅子に座ることにより正座の苦手な人、足が悪い人、老人なども苦にすることなく稽古ができ、茶道人口を増やすことができる。さらに第１，第２の道具基台を折り畳み式となしたので収納空間が少なくてすみ、運搬が容易である。
【００２０】
請求項３の発明は、第２道具基台に建水台を移動可能に設けて所定位置で突出させることができるので、建水高さが、畳に正座したときの高さとほぼ同じになり点前中に建水の排水所作が容易で、水を建水の外に零す粗相をなくすことができる。そして不使用時には天板の下に収納することにより邪魔にならず取り扱いが楽である。
【００２１】
請求項４の発明は、炉基台の全面上面を天板とできるので風炉の点前のときも使用可能となり、一年中いろいろの点前の稽古ができる。
【００２２】
請求項５の発明は、洋間の立礼卓となるので大寄せの茶会も気楽に開催さることができる。素人・外国人等も参加でき広い交流の場にすることができる。
【発明を実施するための最良の形態】
【００２３】
以下に本発明の実施の形態を図面にもとづいて説明する。図１は炉基台及び点前台の斜視図、図２のａは第１道具基台の斜視図、図２のｂは第２道具基台の斜視図である。
本発明は炉壇を収容した炉基台と、棚物、茶道具を載置する第１道具基台と、茶道具の建水台を付設した第２道具基台と、点前台とにより構成される。
【００２４】
先ず炉基台について図１にもとづいて説明する。
【００２５】
炉基台１は矩形状に形成された上下の枠２ａ、２ｂを四隅と長手中間に配置された６本の柱２ｃによって直方体に枠体２が形成されている。矩形の上枠２ａに炉壇３の左右・前後の４方向に張り出す上部フランジ３ａの３方が載置される。そして炉壇３は点前の種類に対応して上枠２ａの前後の２本の枠上を左端右端に移動して配置替えが可能である。このフランジ３ａ上にはフランジ部の内周りを露出して外周りに正方形の炉縁４が載置される。
【００２６】
枠体２の側面は、側板５ａ、５ｂ、５ｃ、５ｄが取り囲み、上端が炉縁４と同じ高さに張り付けられている。炉縁４が左端に位置するとき、その右側の空間には、上枠２ａ上に四方形の補助枠６を介して天板７が炉縁４と同じ高さになるよう載置されている。
【００２７】
炉壇３が上枠２ａ上を滑って移動させられ右端に位置するときは、その左側炉壇のあった位置に補助枠６及び天板７が載置される。炉壇３には炭火を入れるのが正規であるが、近年簡易形として電気コンロが納められる。コードは炉壇３を貫通して右側板５ａのコンセントスイッチ１０に接続される。コンセントスイッチ１０は必要により地震時に自動遮断機能を有する市販品を流用することができる。
【００２８】
また、この炉基台１を立礼卓として使用できるように、下枠２ｂの四隅に脚８が取り付け・取り外し自在に設けるものである。前側板５ｂの一部を開口５ｅをあけて底板上に替え茶碗を収めることも自由である。さらにまた、風炉用として用いるときは炉壇３又は炉縁４を取り外し上枠２ａの上面に補助枠６と同様の補助枠及び開口部を覆う風炉用天板を載置するものである。
【００２９】
さらに、炉基台１の手前側側板５ｂの上縁には左右全長にわたり点前台９を挿着する取付片１１が水平に固着されている。この取付片１１は両端を４５度に切り落とし、断面Ｕ字形をなしていて、左右全長にわたり溝１１ａが形成されている。
【００３０】
点前台９は図３に示すごとく、点前をするとき茶碗がのせられるように、一方の端部は片側に突出する弧状に広がる点前用の拡張部９ａが形成されている。そして点前台９は炉基台１の取付片１１の溝１１ａに係合するよう拡張部９ａと反対側の直線の側縁は凸部９ｂが形成されている。
【００３１】
さらに拡張部９ａの直角の側縁にも同様の凸部９ｃが形成されていて、後述する第２道具基部２１の前上縁に固着した断面Ｕ字状の取付片３１の溝３１ａに挿着するようになっていて、直角の２側縁で点前台９は保持されるものである。この点前台９は後述する点前の形式によって上下を反転して使用することができるものである。
【００３２】
炉基台１の取付片１１を固着した側と反対側の側板５ｃの上端部には後述する第２道具基台２１のピン２９が嵌入するピン穴５ｆが複数個本例では３個穿孔されていて、ピンで結合することにより炉基台１と第２道具基台２とを一体として炉基台１を反転して向切り、隅炉のとき使用可能としている。
【００３３】
次に第１道具基台１５について図２ａにもとづき説明する。
このものは大柵、小柵並びに水指等を載置する基台であって、点前の形式により炉基台１の右側又は左側に直角に配置するものである。
【００３４】
矩形の天板１６に前面を開放した三方に側板１７ａ、１７ｂ、１７ｃが垂下付設されていて蝶番により、それぞれ内側に９０度折り畳みできるようになっている。側板１７ｂ、１７ｃの折り畳んだ上に、向側側板１７ａを重ねて折り畳むものである。そのため側板１７ａの折り畳み線は側板１７ｂ、１７ｃより板厚み分下位置である。そして、各側板は連結具で互いに直立できるように固定される。
【００３５】
この第１道具基台１５は炉基台１の高さと同じになるよう側板１７ａ、１７ｂ、１７ｃの長さが決められている。また、洋間の立礼卓として使用できるように、炉基台１に脚を取り付け立礼卓と同じ高さになる脚１８が天板１６の裏面四隅に取り付け・取り外し自在とされている。
【００３６】
さらに天板１６の点前側には後述の第２道具基台２１のピン２９が嵌入するピン穴１６ａがピン２９に対応した三箇所の位置に穿孔されており、第１道具基台１５と第２道具基台２１とを一体に連結することが可能である。
【００３７】
次に第２道具基台２１について図２ｂにもとづき説明する。第２道具基台２１は、建水を載置する建水台２７を格納自在に設けており、点前の形式によっては炉基台１と連結して茶器・茶碗をのせる点前台ともなり、飾る台ともなる。矩形の天板２２に左右２側面に側板２３ａ、２３ｂを垂下付設し、それぞれ蝶番により内方に９０度折り曲げられるようになっている。
【００３８】
そして天板２２に対して側板２３ａ、２３ｂが天板に対して直立すべく必要な金具が取り付けられている。側板２３ａ、２３ｂは第２基台２１が炉基台１，第１道具基台１５と水平面が同一となるよう長さが決められている。また天板２２の左右の長さは炉基台１，第１道具基台１５のそれぞれの左右長さと同じである。
【００３９】
第２道具基台２１の建水台２７は左右移動及び収納・突出可能である。すなわち天板２２の裏面に左右長手方向前後に２本のコ字材のレール２４を開口側を対向して平行に取り付け、その凹部の開口部に滑り板２６を摺動可能に挿通し、その下側に矩形の板の建水台２７を端部において鍔付支軸２８で旋回可能に取り付けてある。建水台２７を点前側に旋回させることで、板が点前側に突出し建水を載置可能となる。建水台２７を９０度旋回してコ字材２４と平行にすることにより収納時コンパクトになる。
滑り板２６はコ字材レール２４内で摺動可能であるので点前の形式に対応して右側・左側に位置させることができる。
【００４０】
そしてこの第２道具基台２１の向側には第１道具基台１５のピン穴１６ａ又は炉基台１のピン穴５ｆと連結するため、天板２２の側面に複数本、本例では３本の鉄又は樫の木のピン２９が水平に突設してある。さらに点前側には左右両端部に、炉基台１の点前側前面に設けた取付片１１と同断面形状の取付片３１，３１が取り付けられたおり、点前台９の側面の凸部９ｃを係合させることによって、点前台９を確実に炉基台１側との２面で保持するものである。
【００４１】
なお、炉基台１の取付片１１と第２道具基台２１の取付片３１とが当接する角部は４５度に切り落としてあり、炉基台１と第２道具基台２１とを直角に点接触の状態に配置することができる。また、洋間の立礼卓として使用できるように、脚３２を天板の裏面に２本、手前側に取り付け・取り外し自在に設けたものである。これにより第２道具基台２１は、ピン２９が第１道具基台１５のピン穴１６ａ又は炉基台１のピン穴５ｆに嵌入することにより確実に立礼卓として安定したものとなる。
【００４２】
なお、第１道具基台１５，第２道具基台２１の連結部に当接位置には図示しない連結クランプ金具を設けるものである。
また、第１道具基台１５の両側の側板１７ｂ、１７ｃと向側板１７ａと、及び１７ｂ、１７ｃと第２道具基台２１の両側の側板２４ａ、２４ｂとの当接部にも同様のクランプ金具を設けるものである。
【００４３】
次に点前形式における炉基台１，点前台９、第１道具基台１５，第２道具基台２１の配置を図面にもとづき説明する。
【００４４】
四畳半本勝手〔図３〕。この点前は炉基台１を図で炉壇３を上とする縦長に置き、これと直角に第１道具基台１５を向側、第２道具基台２１を点前側に配してピン２９で一体に連結する。点前台９は凸部９ｂを炉基台１の取付片１１の溝１１ａと、また拡張部９ａの側面凸部９ｃを第２道具基台２１の溝３１ａと嵌合させて一体に挿着する。第２道具基台２１の建水台２７は旋回して突出させ建水が所定位置となるように左右移動させる。
【００４５】
空間イ位置が点前座となり、点前者は正座用椅子に腰をおろして正座して炉と対座する。向側（右側）が客座となる。正座用椅子は必ずしも使用する必要はなく、畳上ぢかに正座することも自由である。
【００４６】
台目切本勝手〔図４〕。この点前は第１道具基台１５を取り除いた四畳半本勝手点前の配置の図３と同じである。
【００４７】
向切り本勝手〔図５〕。この点前は炉基台１を図で左右方向に配し、炉壇３を右側に寄せ取付片側１１を向側とする。炉の左側の空間には右側にあった補助枠６をのせ、その上を天板７で塞ぐ。手前側には第２道具基台２１を配し、ピン２９をピン穴５ｆに嵌合して一体とする。そして建水台２７を突出させて左寄り所定位置とする。この場合第１道具基台１５は、右側直角に配置する。点前者はイ位置で炉と対する。第１道具基台１５の右側が客座である。
【００４８】
隅炉本勝手〔図６〕。この点前は向切り本勝手の配置において、炉壇３を左に移動して位置させ、その右の空間に補助枠６をのせ、その上に天板７を載置した形である。
これら四形式の本勝手は殆どの流儀でほぼ同じである。
【００４９】
次に逆勝手の配置を図にもとづき説明する。
逆勝手は流儀により以下のうち一部、例えば向切り逆勝手しか行わない場合もある。一応採用されている四形式の配置を述べる。
【００５０】
四畳半切り逆勝手〔図７〕。この点前は、四畳半本勝手の配置に対して、炉基台１が図で左側に位置し、その左が客座となる。点前台９が炉基台１の右側となるため、取付片１１を右側になるように炉基台１を１８０度旋回位置させる。炉壇３は上側端に移動させる。補助枠６，天板７の位置も入れ替える。第１道具基台１５，第２道具基台２１の配置は本勝手と同じである。点前者の向きが左斜めイとなるので、建水台２７の位置は右寄りに所定位置に移動させる。
【００５１】
台目切り逆勝手〔図８〕。この点前は、四畳半切り逆勝手の第１道具基台１５を除いた配置となる。
【００５２】
向切り逆勝手〔図９〕。この点前は、向切り本勝手に対し、炉基台１の炉壇３の位置を図で左側に移動させ補助枠６，天板７を右側に入れ替える。第１道具基台１５の位置を左側に移し、建水台２８の位置を右側に移し所定位置とする。
【００５３】
隅炉逆勝手〔図１０〕。この点前は、向切り逆勝手の位置に対し、炉基台１の炉壇３を右側に移動し、補助枠６，天板７を左側に入れ替えた配置となる。
このように炉基台１、第１道具基台１５、第２道具基台２１及び点前台９の配置を替えることにより、本勝手の四形式、逆勝手の四形式の炉点前が稽古できる。
【００５４】
さらに各基台のそれぞれに脚を取り付けることにより洋間における立礼卓としても使用可能である。
また風炉の点前を行う場合は、炉壇３，炉縁４を取り外し、又は炉縁４のみを取り外して補助枠と天板でその後の空間を塞ぎ、風炉を所定位置に載置することにより、本勝手、逆勝手の点前を行うことができる。
【図面の簡単な説明】
【００５５】
【図１】炉基台及び点前台の斜視図である。
【図２】ａは第１道具基台の斜視図、ｂは第２道具基台の斜視図である。
【図３】四畳半本勝手の配置平面図である。
【図４】台目切り本勝手の配置平面図である。
【図５】向切り本勝手の配置平面図である。
【図６】隅炉本勝手の配置平面図である。
【図７】四畳半逆勝手の配置平面図である。
【図８】台目切り逆勝手の配置平面図である。
【図９】向切り逆勝手の配置平面図である。
【図１０】隅炉逆勝手の配置平面図である。
【符号の説明】
【００５６】
１  炉基台
３  炉壇
４  炉縁
５ａ、５ｂ、５ｃ、５ｄ；１７ａ、１７ｂ、１７ｃ  側板
７、１６、２２  天板
８、１８、３２  脚
９  点前台
１１、３１  取付片
１５  第１道具基台
２１  第２道具基台
２３ａ、２３ｂ  側板
２４  レール
２６  滑り板
２７  建水台
【図１】
0004708245.tif 000002
【図２】
0004708245.tif 000003
【図３】
0004708245.tif 000004
【図４】
0004708245.tif 000005
【図５】
0004708245.tif 000006
【図６】
0004708245.tif 000007
【図７】
0004708245.tif 000008
【図８】
0004708245.tif 000009
【図９】
0004708245.tif 000010
【図１０】
0004708245.tif 000011